(57)【特許請求の範囲】
【請求項１】
直棒状の主体杆の外側に打撃材を先後移動自在に嵌め込み、該打撃材を衝接させる被打撃材を軸線方向の中間部に設けた前記主体杆の先端部の軸線上位置に、連結金具上に載せたコンクリート型枠用セパレータ端部を、内側に、しかも、前記軸線に対して交差させて係合する押圧縁を設けた、コンクリート型枠用セパレータ端部の連結金具嵌め込み用工具。
【発明の詳細な説明】
【技術分野】
【０００１】
本発明は、コンクリート躯体構築用の型枠間にセパレータを配するに際し、該セパレータの端部を、前記型枠に取付けた連結金具に、上方から嵌め込むときの作業具として用いる、コンクリート型枠用セパレータ端部の連結金具嵌め込み用工具に関するものである。
【背景技術】
【０００２】
従来、型枠に予め取り付けておいた連結金具（例えば、特許文献１参照）の受け部（連結部）にセパレータの端部を組付ける際、そのセパレータは上方から型枠内に落し込んで施工することになるが、型枠が外部からの作業が難しい程の高さがあったり、或いは、型枠内には鉄筋が配筋されていることから、手先だけでの落し込み作業を行うことは非常に困難である。
【０００３】
そこで、通常は、連結具の受け部にセパレータの端部を置いた後、桟木などの棒材を用いて、その一端側の小口面でセパレータ端部を押さえた状態で、他端側の小口面を木槌などのハンマーで叩くことで連結金具とセパレータとを接続させ、落し込み作業を行っていた。
【先行技術文献】
【特許文献】
【０００４】
【特許文献１】特開２００７−４６３２５号公報
【発明の概要】
【発明が解決しようとする課題】
【０００５】
しかしながら、ハンマー等で棒材の端面を叩く方法は、単純に棒材によってセパレータを押さえているだけなので、叩いた際にセパレータ（又は棒材）がずれてしまったり、また、その叩いた時の反発力（衝撃）によってセパレータが跳ね返ってしまい、結果的に一発で接続することができない。よって、作業者は、再度自らの手で、セパレータの端部を連結金具の受け部に置いて、接続を試みることになり、この方法は手間が掛かるものであった。
【０００６】
本発明は、上記問題点を解決するものであって、型枠内にセパレータを落し込んでセパレータ連結金具に組付ける際の施工性が向上する工具を提供することを目的とする。
【課題を解決するための手段】
【０００７】
直棒状の主体杆の外側に打撃材を先後移動自在に嵌め込み、該打撃材を衝接させる被打撃材を軸線方向の中間部に設けた前記主体杆の先端部の軸線上位置に、連結金具上に載せたコンクリート型枠用セパレータ端部を、内側に、しかも、前記軸線に対して交差させて係合する押圧縁を設けた構成とするのである。
【発明の効果】
【０００８】
本発明によれば、主体杆の軸線上に位置する押圧縁の内側にセパレータ端部を係合して打撃材を被打撃材に衝接させることにより、前記端部を連結金具に嵌め込ませることができるので、従来のように、作業中、セパレータが跳ね返るようなこともなく、また、セパレータ端部に外力（打撃力）を確実に負荷させ、嵌め込み操作を円滑に行うことのできる工具を提供できる。
【図面の簡単な説明】
【０００９】
【図１】第一実施例の正面図。
【図２】図１の側面図。
【図３】図１の拡大図。
【図４】使用状態時の図２の拡大図。
【図５】セパレータに組合わせる直前の、第一実施例の一部斜視図。
【図６】セパレータに組付けた状態の、第一実施例の一部斜視図。
【図７】第二実施例の正面図。
【図８】図７の拡大図。
【図９】使用状態時の、第二実施例の拡大図。
【実施例】
【００１０】
本発明に係るコンクリート型枠用セパレータ端部の連結金具嵌め込み用工具Ａａ，Ａｂ（以下、嵌め込み用工具といい、Ａａは第一実施例の嵌め込み用工具を、Ａｂは第二実施例の嵌め込み用工具を示す）は、コンクリート型枠１００の内面に突出させて設けた連結金具１０１の内側に端部を嵌め込んで組付けて、セパレータ１０３を前記コンクリート型枠１００，１００間に落とし込む際に用いるものである（図４、図９）。
【００１１】
図中、１は嵌め込み工具Ａａ又はＡｂの主体杆で、主体杆１は、先後両端部にそれぞれ雄ねじ２ａ，２ｂ、３ａ，３ｂを設けた長い棒杆部２と短い棒杆部３を、長い棒杆部２の後端側の前記雄ねじ２ｂと短い棒杆３の先端側の前記雄ねじ３ａに高ナット４を螺合して接続し、該螺合状態を高ナット４を間において前記雄ねじ２ｂ又は３ａに螺合した先後の平ナット５，５´で保持させた棒杆体で構成し、高ナット４を長短の棒杆部２，３のいずれかの一方から取り外すことにより全体の長さを短くできるようにして保管、携帯に便利にしてある。
【００１２】
この主体杆１の、後部側の棒杆部３側には、該短い棒杆部３を挿通させるようにして打撃材（スライドハンマー）６を組付けてある。
【００１３】
打撃材６は、主体杆１の後端、すなわち、短い棒杆部３の後端の前記雄ねじ３ｂに螺合して組付けた緩み止めナット７で締付けた平ナット５Ａにより棒杆部３の後端から抜けないようにしてあり、また、平ナット５Ａと前記後側平ナット５´間を自在に移動し、平ナット５´を被打撃材としてこれに衝接する。
【００１４】
なお、打撃材６の主体杆１後端からの抜け止め手段は実施例のようにナット７，５Ａで構成する必要はない。
【００１５】
そして、その衝接による圧力が主体杆１の先端、すなわち、長い棒杆部２の先端に設けた係止材９又は９Ａに伝わり、係止材９，９Ａは前記セパレータ１０３端部を押し下げ、端部が連結金具１０１の内側に嵌め込まれる。
【００１６】
図１乃至図６で示す第一実施例の嵌め込み用工具Ａａと、図７乃至図９で示す第二実施例の嵌め込み用工具Ａｂは、この係止材９又は９Ａの構成を異にし、残余の点は同一符号で示す通り、構成を同じくする。
【００１７】
第一実施例の嵌め込み用工具Ａａの係止材９は、金属板を屈曲して、中央部片９ａと、その両側は相対設した側部片９ｂ，９ｂとで成るコ形枠体で構成する。そして、係止材９は、中央部片９ａに設けた透孔１０に、平ナット５Ｂを螺合して組付けた、主体杆１の前記長い棒杆部２の先端側雄ねじ２ａを挿通させ、透孔１０より突出する雄ねじ２ａの先端に組付けナット１１を螺合して前記平ナット５Ｂとで挟持するようにして主体杆１（長い棒杆部２）に締付けたものである。
【００１８】
この係止材９の前記側部片９ｂ，９ｂには、側部片９ｂ，９ｂ同士の関係において、互いに反対側の関係にある側端を開口した切欠１２をそれぞれ設け、該切欠１２，１２の互いに一致し、主体杆１の軸線上位置に配した奥端部１２ｂに、切欠１２の開口端１２ａを通じて前記セパレータ１０３の端部を主体杆の軸線に交差させて係合させ、該奥端部１２ｂの縁部を押圧縁８としてセパレータ１０３端部を押圧するようにしてある。
【００１９】
第一実施例の嵌め込み用工具Ａａは、コンクリート型枠１００に設けた連結金具１０１上に載せたセパレータ１０３の、連結金具１０１より外れた部分の外側に、係止材９の側部片９ｂ，９ｂ間の間隙ａを係合させて前記セパレータ１０３部分に各切欠１２の、前記開口端１２ａ，１２ａが位置するように配して工具Ａａを回すと、各切欠１２の奥端部１２ｂが前記セパレータ１０３部分に配置され、工具Ａａはセパレータ１０３に組合わされる。
【００２０】
この状態で打撃材６を、主体杆１に沿わせて、上方から下方へと急激に降下させると、該打撃材６は前記平ナット５´で構成した被打撃材に衝接し、これを押圧することになり、該圧力が主体杆１を通して係止材９に設けた切欠１２の押圧縁８に伝わり、セパレータ１０３に負荷され、セパレータ１０３を降下させることになる。
【００２１】
そして、必要に応じて、打撃材６の前記降下操作の繰返しにより、セパレータ１０３端部は連結金具１０１に嵌め込まれるのである。
【００２２】
図７乃至図９で示す第二実施例の嵌め込み用工具Ａｂの係止材９Ａは、棒状体で成り、後端に設けたねじ孔２１に、主体杆１の前記長い棒杆部２の先端側雄ねじ２ａを螺合させて主体杆１（長い棒杆部２）の先端に取付けたものである。
【００２３】
この係止材９Ａは、軸線上に互いに並べて設けた第一切欠１２Ａと第二切欠１２Ｂを備え、作業者の好みに応じていずれかを選択してセパレータ１０３の連結金具に対する嵌め込み作業を行うようにしてある。そして、第一切欠１２Ａは、係止材９Ａの先端面を開口して主体杆１の後方へ延ばして軸線上に設け、その奥端を、セパレータ１０３端部に対する押圧縁８Ａとしたものである。
【００２４】
第二切欠１２Ｂは、第一切欠１２Ａの後方に位置して設けた軸線方向に長い長孔を、その一側を切り欠いて外部と連通させたような、全体として足の短いややＴ字形を成し、上端側の奥端縁をセパレータ１０３端部に対する押圧縁８Ｂとしたものである。
【００２５】
そして、第二実施例の嵌め込み用工具Ａｂは、第一実施例のものと同様に、第一切欠１２Ａ又は第二切欠１２Ｂの内側にセパレータ１０３端部を嵌め込み、押圧縁８Ａ又は８Ｂを該端部に当てるようにして主体杆１に沿う打撃材６の降下操作を行って被打撃材（実施例では平ナット５´）に衝接させることによって、セパレータ１０３端部の連結金具１０１に対する嵌め込み作業を行う。
【００２６】
なお、第二実施例は、第一切欠１２Ａ側の押圧縁８Ａを利用して嵌め込み作業を行うときは、セパレータ１０３端部の外側に該切欠１２Ａを上方から嵌め込むに対し、第二切欠１２Ｂ側の押圧縁８Ｂを用いて嵌め込むときは、セパレータ１０３端部の外側に第二切欠１２Ｂを側方から嵌め込むことができるので、コンクリート型枠１００内の、鉄筋の配筋状態によっては、セパレータ１０３に対して縦方向と横方向のいずれかからも組付けられる、適用範囲の広い工具を提供できる。
【００２７】
因みに、本発明でいう切欠は図示の形態に限定する必要のないことは勿論であり、要は、押圧縁によって押されたセパレータ端部が主体杆の軸線上位置を外れない形態であれば良い。
【符号の説明】
【００２８】
１          主体杆
６          打撃材
８          押圧縁
１０１      連結金具
１０３      セパレータ
【図１】
0005612850.tif 000002
【図２】
0005612850.tif 000003
【図３】
0005612850.tif 000004
【図４】
0005612850.tif 000005
【図５】
0005612850.tif 000006
【図６】
0005612850.tif 000007
【図７】
0005612850.tif 000008
【図８】
0005612850.tif 000009
【図９】
0005612850.tif 000010